(57)【要約】【課題】信頼性の低下を招くことなく小型化を可能としたピグテール型光レセプタクルを提供する。【解決手段】軸方向に延びる貫通孔を有するフェルールと、貫通孔に挿入された状態でフェルールに保持されるとともに、フェルールの後端側からフェルールの外方に延在する光ファイバと、光ファイバのフェルールの外方に延在した部分を被覆する保護部材と、フェルールの先端側に取り付けられたスリーブと、フェルールの後端側を保持する保持具と、スリーブの少なくとも一部及びフェルールを覆う収容部と、を備え、フェルールの貫通孔は、光ファイバの幅に対応する第１領域と、第１領域の後方に配置され、フェルールの後端側に向かって幅が広がる第２領域と、を有し、保持具は、フェルールの外側面のうち、第１領域よりも後方の部分を保持することを特徴とするピグテール型光レセプタクルである。【選択図】  図１
2017211633.tif 000002
【特許請求の範囲】
【請求項１】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具の外側面に嵌り、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記保持具は、前記フェルールの外側面のうち、前記第１領域よりも後方の部分を保持することを特徴とするピグテール型光レセプタクル。
【請求項２】
前記第２領域における前記貫通孔の前記直交方向の幅の変化は、凸曲線状であることを特徴とする請求項１記載のピグテール型光レセプタクル。
【請求項３】
前記フェルールの前記貫通孔は、前記第２領域よりも後方に配置された第３領域をさらに有し、
前記第３領域における前記貫通孔の前記直交方向の幅の変化は、直線状であることを特徴とする請求項２記載のピグテール型光レセプタクル。
【請求項４】
前記保護部材の先端は、前記貫通孔の前記第２領域内に位置することを特徴とする請求項１〜３のいずれか１つに記載のピグテール型光レセプタクル。
【請求項５】
前記保護部材の先端は、前記貫通孔の前記第３領域内に位置することを特徴とする請求項３記載のピグテール型光レセプタクル。
【請求項６】
前記保持具は、圧入によって前記フェルールの後端側を保持することを特徴とする請求項１〜５のいずれか１つに記載のピグテール型光レセプタクル。
【請求項７】
前記保持具の後端は、前記フェルールの後端よりも後方に位置し、
前記保持具は、前記光ファイバの一部及び前記保護部材の一部を取り囲み、
前記光ファイバ及び前記保護部材は、前記保持具の外方にさらに延在するとともに、前記貫通孔内及び前記保持具内に充填された弾性部材によって前記保持具に接着固定されることを特徴とする請求項１〜６のいずれか１つに記載のピグテール型光レセプタクル。
【請求項８】
前記保持具の内周面は、
前記フェルールの外側面に嵌る第１内周部と、
前記第１内周部の後方に位置し、前記第１内周部よりも内側に突出し、前記光ファイバの一部及び前記保護部材の一部を取り囲む第２内周部と、
を有し、
前記フェルールの後端と前記第２内周部との間には、前記軸方向において隙間が設けられ、
前記弾性部材は、前記隙間にも充填されていることを特徴とする請求項７記載のピグテール型光レセプタクル。
【請求項９】
前記保持具は、第１後端面と、前記第１後端面よりも外周側において前記第１後端面よりも先端側に凹んだ第２後端面と、を有することを特徴とする請求項１〜８のいずれか１つに記載のピグテール型光レセプタクル。
【請求項１０】
前記保持具の外側面は、
前記収容部に保持される第１外周部と、
前記保持具の先端部に設けられ、前記第１外周部よりも内側に凹んだ第２外周部と、
を有することを特徴とする請求項１〜９のいずれか１つに記載のピグテール型光レセプタクル。
【請求項１１】
前記保持具は、後端面と内周面との間に面取り部を有することを特徴とする請求項１〜１０のいずれか１つに記載のピグテール型光レセプタクル。
【請求項１２】
前記弾性部材は、前記保持具の後端側において前記保持具の外方に突出し、前記保持具の後端と前記保護部材の外側面とのコーナー部分を覆う突出部を有することを特徴とする請求項７記載のピグテール型光レセプタクル。
【請求項１３】
前記収容部は、圧入によって前記保持具を保持することを特徴とする請求項１〜１２のいずれか１つに記載のピグテール型光レセプタクル。
【請求項１４】
前記フェルールの外側面は、前記保持具の内周面に当接する第１当接部を有し、
前記保持具の外側面は、前記収容部の内周面に当接する第２当接部を有し、
前記第２当接部の前記軸方向の中間点は、前記第１当接部の前記軸方向の中間点よりも後方に位置することを特徴とする請求項１〜１３のいずれか１つに記載のピグテール型光レセプタクル。
【請求項１５】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具の外側面に嵌り、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記第２領域における前記貫通孔の前記直交方向の幅は、前記後端側に向かうに従って変化の割合が大きくなる曲線状に変化することを特徴とするピグテール型光レセプタクル。
【請求項１６】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具の外側面に嵌り、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記収容部は、前記第１領域よりも後方側において前記保持具の外側面に嵌ることを特徴とするピグテール型光レセプタクル。
【請求項１７】
前記保持具の外側面は、
前記収容部に保持される第１外周部と、
前記保持具の先端部に設けられ、前記第１外周部よりも内側に凹んだ第２外周部と、
を有し、
前記第１外周部は、前記第１領域よりも後方に位置することを特徴とする請求項１６記載のピグテール型光レセプタクル。
【請求項１８】
前記収容部の内側面は、
前記保持具の外側面に嵌る第１内周部と、
前記第１内周部よりも先端側に設けられ、前記第１内周部よりも外側に広がった第２内周部と、
を有し、
前記第１内周部は、前記第１領域よりも後方に位置することを特徴とする請求項１６記載のピグテール型光レセプタクル。
【請求項１９】
前記第２内周部は、傾斜面又は曲面を介して前記第１内周部と接続されていることを特徴とする請求項１８記載のピグテール型光レセプタクル。
【請求項２０】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具に取り付けられ、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記保持具は、前記第２領域よりも先端側に設けられ、前記収容部よりも外側に突出するフランジ部を有し、
前記収容部は、前記フランジ部よりも先端側において前記保持具に取り付けられることを特徴とするピグテール型光レセプタクル。
【発明の詳細な説明】
【技術分野】
【０００１】
本発明の態様は、一般に、ピグテール型光レセプタクルに関する。
【背景技術】
【０００２】
光レセプタクルは、光通信用トランシーバの光モジュールにおいて光ファイバコネクタを受光素子や発光素子等の光学素子と光学的に接続させるための部品として用いられている。また、こうした光レセプタクルにおいて、光ファイバをフェルールから引き出したピグテール型の光レセプタクルも知られている。
【０００３】
例えば、特許文献１では、光ファイバを保持するフェルールをホルダに保持させるとともに、ホルダをケースに圧入させることにより、フェルールやホルダなどの各部品の保持力を向上させたピグテール型光レセプタクルを提案している。
【０００４】
また、特許文献１では、フェルールの後端面をケースの圧入領域よりも後端側に位置させることにより、ホルダからフェルールの後端部にかかる圧力を低下させている。これにより、圧入によってフェルールの内径が収縮し、フェルールの後端部において光ファイバの一部分に局所的に外力が集中してしまうことを抑制することができる。そして、外力の集中にともなう光ファイバの強度の低下や損失の増加を抑制し、ピグテール型光レセプタクルの信頼性を向上させることができる。
【０００５】
しかしながら、フェルールの後端面をケースの圧入領域よりも後端側に位置させる構成では、フェルールの後端を圧入領域に配置する構成に比べて、フェルールやホルダを長くする必要がある。このため、ピグテール型光レセプタクルにおいて、フェルールやケースなどを含むレセプタクル本体部分（引き出された光ファイバよりも先端側の部分）の長手方向の小型化が困難であった。
【０００６】
一般に、光トランシーバの形状は、規格化されており、レセプタクル本体部分が長くなると、光学素子などを含む電気回路のスペースを圧迫してしまう。また、光トランシーバでは、ＩＰトラフィックの増加にともなって高速化が要求されており、光学素子から出射する光信号の変調速度の高速化などにともなって、電気回路に必要となるスペースが大きくなってきている。
【０００７】
このため、ピグテール型光レセプタクルでは、光ファイバに対する局所的な外力の集中などにともなう信頼性の低下を招くことなく小型化を可能とすることが望まれる。
【先行技術文献】
【特許文献】
【０００８】
【特許文献１】特開２０１２−２３０２７５号公報
【発明の概要】
【発明が解決しようとする課題】
【０００９】
本発明は、かかる課題の認識に基づいてなされたものであり、信頼性の低下を招くことなく小型化を可能としたピグテール型光レセプタクルを提供することを目的とする。
【課題を解決するための手段】
【００１０】
第１の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具の外側面に嵌り、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記保持具は、前記フェルールの外側面のうち、前記第１領域よりも後方の部分を保持することを特徴とするピグテール型光レセプタクルである。
【００１１】
このピグテール型光レセプタクルによれば、スリーブの少なくとも一部及びフェルールが収容部に収容されるため、フェルールの後端部を収容部の後方に突出させる構成に比べて、フェルールや収容部の長さを短くすることができる。また、保持具が、フェルールの外側面のうち、第１領域よりも後方の部分を保持する。これにより、例えば、フェルールが収縮した場合にも、光ファイバを保持する第１領域と、光ファイバを保持しない第２領域と、の境界部分において、光ファイバに外力が集中してしまうことを抑制することができる。従って、信頼性の低下を招くことなく小型化を可能としたピグテール型光レセプタクルを提供することができる。
【００１２】
第２の発明は、第１の発明において、前記第２領域における前記貫通孔の前記直交方向の幅の変化は、凸曲線状であることを特徴とするピグテール型光レセプタクルである。
【００１３】
このピグテール型光レセプタクルによれば、第１領域と第２領域との境界部分において、光ファイバに外力が集中してしまうことをより抑制することができる。
【００１４】
第３の発明は、第２の発明において、前記フェルールの前記貫通孔は、前記第２領域よりも後方に配置された第３領域をさらに有し、前記第３領域における前記貫通孔の前記直交方向の幅の変化は、直線状であることを特徴とするピグテール型光レセプタクルである。
【００１５】
このピグテール型光レセプタクルによれば、第１領域と第２領域との境界部分において、光ファイバに外力が集中してしまうことをより抑制することができる。
【００１６】
第４の発明は、第１〜第３の発明のいずれか１つにおいて、前記保護部材の先端は、前記貫通孔の前記第２領域内に位置することを特徴とするピグテール型光レセプタクルである。
【００１７】
このピグテール型光レセプタクルによれば、光ファイバの保護部材から突き出た部分の長さを極力短くすることができる。これにより、例えば、光ファイバの撓みを抑制し、光ファイバをフェルールの貫通孔に挿入し易くすることができる。ピグテール型光レセプタクルの製造性を向上させることができる。
【００１８】
第５の発明は、第３の発明において、前記保護部材の先端は、前記貫通孔の前記第３領域内に位置することを特徴とするピグテール型光レセプタクルである。
【００１９】
このピグテール型光レセプタクルによれば、光ファイバの保護部材から突き出た部分の長さを極力短くすることができる。これにより、例えば、光ファイバの撓みを抑制し、光ファイバをフェルールの貫通孔に挿入し易くすることができる。ピグテール型光レセプタクルの製造性を向上させることができる。
【００２０】
第６の発明は、第１〜第５の発明のいずれか１つにおいて、前記保持具は、圧入によって前記フェルールの後端側を保持することを特徴とするピグテール型光レセプタクルである。
【００２１】
このピグテール型光レセプタクルによれば、簡単な構成でフェルールを適切に保持することができる。
【００２２】
第７の発明は、第１〜第６の発明のいずれか１つにおいて、前記保持具の後端は、前記フェルールの後端よりも後方に位置し、前記保持具は、前記光ファイバの一部及び前記保護部材の一部を取り囲み、前記光ファイバ及び前記保護部材は、前記保持具の外方にさらに延在するとともに、前記貫通孔内及び前記保持具内に充填された弾性部材によって前記保持具に接着固定されることを特徴とするピグテール型光レセプタクルである。
【００２３】
このピグテール型光レセプタクルによれば、光ファイバの保護部材から突き出た部分が、外力によって変形したり、傾いたりすることを抑制することができる。また、外力の印加にともなって光ファイバの先端がフェルールから突き出たり、反対に引っ込んだりすることを抑制することができる。
【００２４】
第８の発明は、第７の発明において、前記保持具の内周面は、前記フェルールの外側面に嵌る第１内周部と、前記第１内周部の後方に位置し、前記第１内周部よりも内側に突出し、前記光ファイバの一部及び前記保護部材の一部を取り囲む第２内周部と、を有し、前記フェルールの後端と前記第２内周部との間には、前記軸方向において隙間が設けられ、前記弾性部材は、前記隙間にも充填されていることを特徴とするピグテール型光レセプタクルである。
【００２５】
このピグテール型光レセプタクルによれば、外力にともなう光ファイバ先端部分の変形や位置ずれをより抑制することができる。
【００２６】
第９の発明は、第１〜第８の発明のいずれか１つにおいて、前記保持具は、第１後端面と、前記第１後端面よりも外周側において前記第１後端面よりも先端側に凹んだ第２後端面と、を有することを特徴とするピグテール型光レセプタクルである。
【００２７】
このピグテール型光レセプタクルによれば、例えば、第１後端面を光ファイバ及び保護部材を接着固定する際の接着剤（弾性部材）の受け面として用い、第２後端面を保持具と収容部との位置決め面として用いることができる。これにより、位置決め面に接着剤が流れ込み、保持具と収容部とに位置ずれが生じてしまうことを抑制することができる。また、保持具を収容部に保持させるのに必要となる長さよりも第１後端面の部分の長さを長くすることにより、保護部材をより長く接着固定することができる。これにより、光ファイバ先端部分の変形や位置ずれをより抑制することができる。
【００２８】
第１０の発明は、第１〜第９の発明のいずれか１つにおいて、前記保持具の外側面は、前記収容部に保持される第１外周部と、前記保持具の先端部に設けられ、前記第１外周部よりも内側に凹んだ第２外周部と、を有することを特徴とするピグテール型光レセプタクルである。
【００２９】
このピグテール型光レセプタクルによれば、保持具が収容部に保持される部分を後方にずらすことができ、第１領域と第２領域との境界部分において、光ファイバに外力が集中してしまうことをより抑制することができる。
【００３０】
第１１の発明は、第１〜第１０の発明のいずれか１つにおいて、前記保持具は、後端面と内周面との間に面取り部を有することを特徴とするピグテール型光レセプタクルである。
【００３１】
このピグテール型光レセプタクルによれば、面取り部を設けることにより、光ファイバを保持具に挿入し易くし、製造性を向上させることができる。また、光ファイバ及び保護部材を接着固定する際に、面取り部を接着剤溜まりとして用いることができ、接着剤が位置決め面に流れ込んでしまうことをより抑制することができる。
【００３２】
第１２の発明は、第７の発明において、前記弾性部材は、前記保持具の後端側において前記保持具の外方に突出し、前記保持具の後端と前記保護部材の外側面とのコーナー部分を覆う突出部を有することを特徴とするピグテール型光レセプタクルである。
【００３３】
このピグテール型光レセプタクルによれば、外力によって荷重が加わった際に、保持具の後端と保護部材の外側面とのコーナー部分において光ファイバが局所的に折れ曲がってしまうことを抑制することができる。
【００３４】
第１３の発明は、第１〜第１２の発明のいずれか１つにおいて、前記収容部は、圧入によって前記保持具を保持することを特徴とするピグテール型光レセプタクルである。
【００３５】
このピグテール型光レセプタクルによれば、簡単な構成で保持具を適切に保持することができる。
【００３６】
第１４の発明は、第１〜第１３の発明のいずれか１つにおいて、前記フェルールの外側面は、前記保持具の内周面に当接する第１当接部を有し、前記保持具の外側面は、前記収容部の内周面に当接する第２当接部を有し、前記第２当接部の前記軸方向の中間点は、前記第１当接部の前記軸方向の中間点よりも後方に位置することを特徴とするピグテール型光レセプタクルである。
【００３７】
このピグテール型光レセプタクルによれば、例えば、保持具を収容部に圧入させた場合などにおいても、圧入よる締め付け力を第２当接部によって広域に分散させ、第１領域と第２領域との境界部分において、光ファイバに外力が集中してしまうことをより抑制することができる。
【００３８】
第１５の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具の外側面に嵌り、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記第２領域における前記貫通孔の前記直交方向の幅は、前記後端側に向かうに従って変化の割合が大きくなる曲線状に変化することを特徴とするピグテール型光レセプタクルである。
【００３９】
このピグテール型光レセプタクルによれば、スリーブの少なくとも一部及びフェルールが収容部に収容されるため、フェルールの後端部を収容部の後方に突出させる構成に比べて、フェルールや収容部の長さを短くすることができる。また、第２領域における貫通孔の直交方向の幅が、後端側に向かうに従って変化の割合が大きくなる曲線状に変化する。これにより、例えば、フェルールが収縮した場合にも、光ファイバを保持する第１領域と、光ファイバを保持しない第２領域と、の境界部分において、光ファイバに外力が集中してしまうことを抑制することができる。従って、信頼性の低下を招くことなく小型化を可能としたピグテール型光レセプタクルを提供することができる。
【００４０】
第１６の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具の外側面に嵌り、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記収容部は、前記第１領域よりも後方側において前記保持具の外側面に嵌ることを特徴とするピグテール型光レセプタクルである。
【００４１】
このピグテール型光レセプタクルによれば、スリーブの少なくとも一部及びフェルールが収容部に収容されるため、フェルールの後端部を収容部の後方に突出させる構成に比べて、フェルールや収容部の長さを短くすることができる。また、収容部が、第１領域よりも後方側において保持具の外側面に嵌る。これにより、例えば、収容部を保持具の外側面に嵌めたことに起因する外力が、光ファイバを保持する第１領域と、光ファイバを保持しない第２領域と、の境界部分において、光ファイバに集中してしまうことを抑制することができる。従って、信頼性の低下を招くことなく小型化を可能としたピグテール型光レセプタクルを提供することができる。
【００４２】
第１７の発明は、第１６の発明において、前記保持具の外側面は、前記収容部に保持される第１外周部と、前記保持具の先端部に設けられ、前記第１外周部よりも内側に凹んだ第２外周部と、を有し、前記第１外周部は、前記第１領域よりも後方に位置することを特徴とするピグテール型光レセプタクルである。
【００４３】
このピグテール型光レセプタクルによれば、収容部を保持具の外側面に嵌めたことに起因する外力が、光ファイバを保持する第１領域と、光ファイバを保持しない第２領域と、の境界部分において、光ファイバに集中してしまうことを抑制することができる。
【００４４】
第１８の発明は、第１６の発明において、前記収容部の内側面は、前記保持具の外側面に嵌る第１内周部と、前記第１内周部よりも先端側に設けられ、前記第１内周部よりも外側に広がった第２内周部と、を有し、前記第１内周部は、前記第１領域よりも後方に位置することを特徴とするピグテール型光レセプタクルである。
【００４５】
このピグテール型光レセプタクルによれば、収容部を保持具の外側面に嵌めたことに起因する外力が、光ファイバを保持する第１領域と、光ファイバを保持しない第２領域と、の境界部分において、光ファイバに集中してしまうことを抑制することができる。
【００４６】
第１９の発明は、第１８の発明において、前記第２内周部は、傾斜面又は曲面を介して前記第１内周部と接続されていることを特徴とするピグテール型光レセプタクルである。
【００４７】
このピグテール型光レセプタクルによれば、第１内周部と第２内周部とを収容部の内側面に設けた場合にも、収容部を形成し易くすることができる。
【００４８】
第２０の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具に取り付けられ、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記保持具は、前記第２領域よりも先端側に設けられ、前記収容部よりも外側に突出するフランジ部を有し、前記収容部は、前記フランジ部よりも先端側において前記保持具に取り付けられることを特徴とするピグテール型光レセプタクルである。
【００４９】
このピグテール型光レセプタクルによれば、スリーブの少なくとも一部及びフェルールが収容部に収容されるため、フェルールの後端部を収容部の後方に突出させる構成に比べて、フェルールや収容部の長さを短くすることができる。また、保持具は、第２領域よりも先端側に設けられ、収容部よりも外側に突出するフランジ部を有し、収容部は、フランジ部よりも先端側において保持具に取り付けられる。これにより、例えば、収容部の取り付けに起因する外力が、光ファイバを保持する第１領域と、光ファイバを保持しない第２領域と、の境界部分において、光ファイバに集中してしまうことを抑制することができる。従って、信頼性の低下を招くことなく小型化を可能としたピグテール型光レセプタクルを提供することができる。
【発明の効果】
【００５０】
本発明の態様によれば、信頼性の低下を招くことなく小型化を可能としたピグテール型光レセプタクルが提供される。
【図面の簡単な説明】
【００５１】
【図１】第１の実施形態にかかるピグテール型光レセプタクルを表す断面図である。
【図２】図２（ａ）〜図２（ｃ）は、第１の実施形態にかかるフェルールの具体例を表す断面図である。
【図３】第１の実施形態にかかるピグテール型光レセプタクルの変形例を表す断面図である。
【図４】第１の実施形態にかかるピグテール型光レセプタクルの変形例を表す断面図である。
【図５】第２の実施形態にかかるピグテール型光レセプタクルを表す断面図である。
【図６】第２の実施形態にかかるピグテール型光レセプタクルの変形例を表す断面図である。
【図７】第２の実施形態にかかるピグテール型光レセプタクルの変形例を表す断面図である。
【図８】図８（ａ）及び図８（ｂ）は、第２の実施形態にかかるピグテール型光レセプタクルの変形例を表す断面図である。
【図９】第３の実施形態にかかるピグテール型光レセプタクルを表す断面図である。
【図１０】図１０（ａ）及び図１０（ｂ）は、第３の実施形態にかかるピグテール型光レセプタクルの変形例を表す断面図である。
【発明を実施するための形態】
【００５２】
以下、図面を参照しつつ、本発明の実施形態について例示をする。尚、各図面中同様の構成要素には同一の符号を付して詳細な説明は適宜省略する。
【００５３】
（第１の実施形態）  
図１は、第１の実施形態にかかるピグテール型光レセプタクルを表す断面図である。  
図１に表したように、ピグテール型光レセプタクル（以下、光レセプタクルと称す）１０は、フェルール１２と、光ファイバ１４と、保護部材１６と、スリーブ１８と、保持具２０と、収容部２２と、を備える。
【００５４】
フェルール１２は、軸方向に延びる貫通孔１２ｔを有する筒状である。貫通孔１２ｔは、フェルール１２の先端１２ａと後端１２ｂとの間を直線状に貫通する。光ファイバ１４は、貫通孔１２ｔに挿入された状態でフェルール１２に保持されるとともに、フェルール１２の後端１２ｂ側からフェルール１２の外方に延在する。換言すれば、フェルール１２は、光ファイバ１４の一端部を保持する。
【００５５】
光ファイバ１４は、貫通孔１２ｔの略全体に挿入される。光ファイバ１４の先端１４ａは、フェルール１２の先端１２ａと略面一である。フェルール１２の先端１２ａ及び光ファイバ１４の先端１４ａは、光レセプタクル１０に挿入されたプラグフェルール（図示は省略）とのＰＣ（Physical Contact）面を形成する。光ファイバ１４は、光レセプタクル１０に挿入されたプラグフェルールと光学的に接続される。この例において、各先端１２ａ、１４ａは、平面状に研磨されている。各先端１２ａ、１４ａは、例えば、凸球面状などに研磨してもよい。
【００５６】
光ファイバ１４のフェルール１２と反対側の端部は、例えば、光コネクタなどを介して半導体レーザ素子などの光学素子と光学的に接続される。これにより、光レセプタクル１０は、挿入されたプラグフェルールと光学素子とを光ファイバ１４を介して光学的に接続する。
【００５７】
フェルール１２は、例えば、円筒状である。光ファイバ１４は、例えば、断面略円形の細線状である。貫通孔１２ｔは、光ファイバ１４の断面形状に対応して形成される。すなわち、貫通孔１２ｔの断面形状は、略円形である。なお、ここで言う「断面」とは、より詳しくは、筒状のフェルール１２の軸方向と直交する断面である。軸方向と直交する断面におけるフェルール１２の外形形状は、円形に限ることなく、多角形などでもよい。
【００５８】
フェルール１２には、例えば、セラミックスやガラスなどが用いられる。より好ましくは、ジルコニアセラミックスが用いられる。光ファイバ１４は、例えば、軸方向に沿って延在するコアと、コアの周囲を囲むクラッドと、を含む。コアの屈折率は、クラッドの屈折率よりも高い。光ファイバ１４のコア及びクラッドには、例えば、石英ガラスが用いられる。石英ガラスには不純物が添加されていてもよい。また、光ファイバ１４は、可撓性を有し、任意の方向に撓ませることができる。
【００５９】
保護部材１６は、光ファイバ１４のフェルール１２の外方に延在した部分を被覆する。保護部材１６は、可撓性を有し、光ファイバ１４とともに任意の方向に撓む。保護部材１６には、例えば、ポリエステルエラストマやアクリレート樹脂などの樹脂材料が用いられる。保護部材１６の外径は、例えば、０．２ｍｍ〜０．５ｍｍ程度である。光ファイバ１４及び保護部材１６のフェルール１２よりも外方に延在した部分の長さは、例えば、８０ｍｍ程度である。光ファイバ１４及び保護部材１６のフェルール１２よりも外方に延在した部分の長さは、これに限ることなく、任意の長さでよい。
【００６０】
スリーブ１８は、フェルール１２の外側面１２ｇに嵌り、フェルール１２の先端１２ａ側に取り付けられる。スリーブ１８の先端１８ａは、フェルール１２の先端１２ａよりも前方に突出する。スリーブ１８は、フェルール１２の先端１２ａ及び光ファイバ１４の先端１４ａを軸周りに囲む。スリーブ１８は、先端側から挿入されるプラグフェルールを保持し、光ファイバ１４とプラグフェルールとの光学的な接続を可能とする。
【００６１】
スリーブ１８は、例えば、円筒状である。スリーブ１８の内径は、フェルール１２の外径と実質的に同じである。これにより、スリーブ１８が、フェルール１２の外側面１２ｇに嵌る。スリーブ１８の断面形状は、フェルール１２の断面形状に対応する。例えば、フェルール１２の外形形状が四角形である場合、スリーブ１８は、四角筒状に形成される。
【００６２】
また、スリーブ１８は、軸方向に延びるスリットを有する。スリーブ１８の断面形状は、より詳しくは、略Ｃ字状である。スリーブ１８は、いわゆる割りスリーブである。スリットは、必要に応じて設けられ、省略可能である。スリーブ１８は、軸周りに環状に連続する筒状でもよい。
【００６３】
スリーブ１８には、例えば、樹脂材料、金属材料、あるいはセラミックスなどが用いられる。より好ましくは、ジルコニアセラミックスが用いられる。
【００６４】
保持具２０は、フェルール１２の外側面１２ｇに嵌り、フェルール１２の後端１２ｂ側を保持する。保持具２０は、例えば、円筒状である。スリーブ１８と同様に、保持具２０の断面形状は、フェルール１２の断面形状に対応する。保持具２０は、フェルール１２に対応する任意の断面形状の筒でよい。保持具２０には、例えば、ステンレスなどの金属材料が用いられる。保持具２０の材料は、樹脂材料やセラミックスなどでもよい。
【００６５】
収容部２２は、保持具２０の外側面２０ｇに嵌り、フェルール１２及びスリーブ１８を覆う。収容部２２は、フェルール１２及びスリーブ１８を軸周りに覆い、フェルール１２及びスリーブ１８を外力などから保護する。このように、保持具２０は、フェルール１２及びスリーブ１８を収容部２２内に収容した状態で保持する。収容部２２は、例えば、円筒状である。保持具２０の外径は、スリーブ１８の外径よりも大きい。収容部２２の内径は、保持具２０の外径と実質的に同じである。収容部２２は、スリーブ１８の外側面に嵌ることなく、保持具２０の外側面２０ｇのみに嵌る。
【００６６】
なお、収容部２２は、保持具２０に対応する任意の断面形状の筒でよい。また、この例では、収容部２２がスリーブ１８の外側面の略全体を覆っている。換言すれば、スリーブ１８の全体が収容部２２内に収容されている。これに限ることなく、スリーブ１８の一部は、例えば、収容部２２よりも前方に突出していてもよい。収容部２２は、スリーブ１８の少なくとも一部を覆っていればよい。収容部２２には、例えば、ステンレスなどの金属材料が用いられる。収容部２２の材料は、樹脂材料やセラミックスなどでもよい。
【００６７】
フェルール１２の貫通孔１２ｔは、第１領域Ｒ１と、第２領域Ｒ２と、を有する。第１領域Ｒ１は、軸方向に対して直交する直交方向における幅が、光ファイバ１４の直交方向の幅に対応する領域である。すなわち、第１領域Ｒ１は、貫通孔１２ｔにおいて、光ファイバ１４の外径と実質的に同じ径を有する部分である。第１領域Ｒ１の径は、軸方向に沿って実質的に一定である。また、第１領域Ｒ１は、フェルール１２の先端１２ａと連続している。フェルール１２は、第１領域Ｒ１において光ファイバ１４を保持する。
【００６８】
第２領域Ｒ２は、第１領域Ｒ１の後方に配置される。第２領域Ｒ２は、第１領域Ｒ１と連続する。また、この例において、第２領域Ｒ２は、フェルール１２の後端１２ｂと連続している。第２領域Ｒ２は、フェルール１２の後端１２ｂ側に向かって直交方向の幅が広がる領域である。すなわち、第２領域Ｒ２は、貫通孔１２ｔにおいて、後端１２ｂ側に向かうに従って径が広がる部分である。
【００６９】
第２領域Ｒ２では、例えば、後端１２ｂ側に向かって径が連続的に広がる。第２領域Ｒ２における径は、例えば、後端１２ｂ側に向かって段階的に広げてもよい。但し、第２領域Ｒ２の径を連続的に広げることにより、例えば、光ファイバ１４を貫通孔１２ｔに挿入する際に、第２領域Ｒ２の傾斜に沿って光ファイバ１４の先端１４ａを貫通孔１２ｔ内に挿入し易くすることができる。例えば、光レセプタクル１０の製造性を向上させることができる。
【００７０】
保持具２０は、フェルール１２の外側面１２ｇのうち、第１領域Ｒ１よりも後方の部分のみを保持する。この例において、保持具２０は、フェルール１２の外側面１２ｇのうち、第２領域Ｒ２と対向する部分のみを保持する。
【００７１】
保護部材１６の先端１６ａは、貫通孔１２ｔの第２領域Ｒ２内に位置する。保護部材１６は、光ファイバ１４のフェルール１２に保持されていない部分を被覆する。
【００７２】
保持具２０は、例えば、圧入によってフェルール１２の後端１２ｂ側を保持する。フェルール１２は、保持具２０に圧入固定される。収容部２２は、例えば、圧入によって保持具２０を保持する。保持具２０は、収容部２２に圧入固定される。保持具２０によるフェルール１２の保持、及び収容部２２による保持具２０の保持は、圧入に限ることなく、接着などでもよい。但し、上記のように各部材を圧入固定することにより、接着固定の場合などに比べて、保持力を高めることできる。各部材を簡単な構成で適切に保持することができる。保持具２０がフェルール１２を圧入固定するために最低限必要となる軸方向の長さは、例えば、０．３ｍｍ〜０．５ｍｍ程度である。但し、フェルール１２の外径及び保持具２０の内径を調整し、締め付け力を大きくすることにより、さらに短くすることも可能である。
【００７３】
保持具２０の後端２０ｂは、フェルール１２の後端１２ｂよりも後方に位置する。保持具２０は、光ファイバ１４の一部及び保護部材１６の一部を軸周りに取り囲む。光ファイバ１４及び保護部材１６は、保持具２０の外方にさらに延在する。すなわち、光ファイバ１４及び保護部材１６は、筒状のフェルール１２及び保持具２０に挿通された状態において、保持具２０の後端２０ｂから後方に引き出される。
【００７４】
光レセプタクル１０は、弾性部材２４をさらに有する。弾性部材２４は、フェルール１２の貫通孔１２ｔ内及び保持具２０内に充填されている。弾性部材２４は、光ファイバ１４及び保護部材１６をフェルール１２及び保持具２０に接着固定する。弾性部材２４には、例えば、エポキシ樹脂などの樹脂材料が用いられる。弾性部材２４は、例えば、硬化した接着剤である。
【００７５】
なお、弾性部材２４は、貫通孔１２ｔ内の少なくとも一部及び保持具２０内の少なくとも一部に入り込んでいればよい。貫通孔１２ｔ及び保持具２０の内部は、必ずしも全体が弾性部材２４で埋まっていなくてもよい。「充填」には、例えば、一部に空隙などを有する場合も含むものとする。
【００７６】
保持具２０の内周面２０ｎは、第１内周部ＩＳ１と、第２内周部ＩＳ２と、を有する。第１内周部ＩＳ１は、フェルール１２の外側面１２ｇに嵌る。第２内周部ＩＳ２は、第１内周部ＩＳ１の後方に位置し、第１内周部ＩＳ１よりも内側に突出し、光ファイバ１４の一部及び保護部材１６の一部を軸周りに取り囲む。
【００７７】
保持具２０の第１内周部ＩＳ１の部分の内径は、フェルール１２の外径と実質的に同じである。一方、保持具２０の第２内周部ＩＳ２の部分の内径は、フェルール１２の外径よりも小さい。従って、第２内周部ＩＳ２は、フェルール１２の後端１２ｂよりも後方に位置する。
【００７８】
第２内周部ＩＳ２の部分の内径は、例えば、保護部材１６の外径よりも大きく、かつフェルール１２の外径よりも小さい値に設定される。第２内周部ＩＳ２の部分の内径は、例えば、第２領域Ｒ２において広がった貫通孔１２ｔの後端１２ｂ側の開口径よりも小さい。
【００７９】
フェルール１２の後端１２ｂと第２内周部ＩＳ２との間には、軸方向において隙間ＳＰが設けられている。弾性部材２４は、この隙間ＳＰにも充填されている。
【００８０】
保持具２０は、第１後端面ＢＳ１と、第２後端面ＢＳ２と、を有する。第２後端面ＢＳ２は、第１後端面ＢＳ１よりも外周側において第１後端面ＢＳ１よりも先端側に凹んでいる。この例において、保持具２０の後端２０ｂは、第１後端面ＢＳ１である。第１後端面ＢＳ１は、例えば、筒状の保持具２０の後端２０ｂ側の開口端を囲む環状である。第２後端面ＢＳ２は、例えば、保持具２０を軸方向に見た状態において第１後端面ＢＳ１を囲む環状である。また、第１後端面ＢＳ１及び第２後端面ＢＳ２は、例えば、軸方向に対して直交する平面である。前述のように、保持具２０は、内周面２０ｎの後端付近を内側に突出させている。これにより、第１後端面ＢＳ１及び第２後端面ＢＳ２の面積を大きくすることができる。
【００８１】
保持具２０は、第１後端面ＢＳ１（後端面）と第２内周部ＩＳ２（内周面２０ｎ）との間に面取り部２０ｃを有する。換言すれば、保持具２０の後端２０ｂ側の開口部は、後端２０ｂ側に向かうに従って径が広がる。面取り部２０ｃは、第１後端面ＢＳ１と第２内周部ＩＳ２との角部を直線状に研削した所謂Ｃ面でもよいし、第１後端面ＢＳ１と第２内周部ＩＳ２との角部を丸めた所謂Ｒ面でもよい。
【００８２】
弾性部材２４は、保持具２０の後端２０ｂ側において保持具２０の外方に突出し、保持具２０の後端２０ｂと保護部材１６の外側面とのコーナー部分を覆う突出部２４ｐを有する。突出部２４ｐの外表面は、例えば、コーナー部分側に凹み、保持具２０の後端２０ｂと保護部材１６の外側面とをなだらかに接続する凹曲面状である。
【００８３】
フェルール１２の外側面１２ｇは、保持具２０の内周面２０ｎに当接する第１当接部ＣＰ１を有する。保持具２０の外側面２０ｇは、収容部２２の内周面に当接する第２当接部ＣＰ２を有する。第２当接部ＣＰ２の軸方向の中間点ｍ２は、第１当接部ＣＰ１の軸方向の中間点ｍ１よりも後方に位置する。
【００８４】
以上、説明したように、本実施形態に係る光レセプタクル１０では、スリーブ１８の少なくとも一部及びフェルール１２が収容部２２内に収容されるため、フェルール１２の後端１２ｂを収容部２２の後方に突出させる構成に比べて、フェルール１２や収容部２２の長さを短くすることができる。また、保持具２０が、フェルール１２の外側面１２ｇのうち、第１領域Ｒ１よりも後方の部分を保持する。これにより、例えば、保持具２０の収容部２２内への圧入、及びフェルール１２の保持具２０内への圧入にともなって、フェルール１２の径が収縮した場合にも、光ファイバ１４を保持する第１領域Ｒ１と、光ファイバ１４を保持しない第２領域Ｒ２と、の境界部分において、光ファイバ１４に外力が集中してしまうことを抑制することができる。従って、信頼性の低下を招くことなく小型化を可能とした光レセプタクル１０を提供することができる。
【００８５】
また、光レセプタクル１０では、保護部材１６の先端１６ａが、貫通孔１２ｔの第２領域Ｒ２内に位置する。これにより、光ファイバ１４の保護部材１６から突き出た部分の長さを極力短くすることができる。例えば、光ファイバ１４の撓みを抑制し、光ファイバ１４をフェルール１２の貫通孔１２ｔに挿入し易くすることができる。例えば、光レセプタクル１０の製造性を向上させることができる。
【００８６】
また、光レセプタクル１０では、保持具２０が、圧入によってフェルール１２の後端１２ｂ側を保持する。これにより、保持力を向上させ、簡単な構成でフェルール１２を適切に保持することができる。
【００８７】
また、光レセプタクル１０では、光ファイバ１４及び保護部材１６が、保持具２０の外方にさらに延在し、弾性部材２４によって保持具２０に接着固定される。これにより、光ファイバ１４の保護部材１６から突き出た部分が、外力によって変形したり、傾いたりすることを抑制することができる。また、外力の印加にともなって光ファイバ１４の先端１４ａがフェルール１２の先端１２ａから突き出たり、反対に引っ込んだりすることを抑制することができる。
【００８８】
また、光レセプタクル１０では、弾性部材２４が、フェルール１２の後端１２ｂと第２内周部ＩＳ２との間の隙間ＳＰにも充填されている。これにより、外力にともなう光ファイバ１４の先端部分の変形や位置ずれをより抑制することができる。
【００８９】
また、光レセプタクル１０では、保持具２０が、第１後端面ＢＳ１と第２後端面ＢＳ２とを有する。これにより、例えば、第１後端面ＢＳ１を弾性部材２４となる接着剤の受け面として用いることにより、接着剤が第２後端面ＢＳ２に流れ込んでしまうことを抑制することができる。そして、保持具２０を収容部２２に圧入する際に、第２後端面ＢＳ２を位置決め面として用い、第２後端面ＢＳ２を押圧して収容部２２への圧入を行うことにより、保持具２０と収容部２２とに位置ずれが生じてしまうことを抑制することができる。
【００９０】
例えば、接着剤の塗布と保持具２０の位置決めとを同じ平面で行おうとした場合には、接着剤が位置決め面に流れ込み、硬化した接着剤の分だけ保持具２０が収容部２２に深く圧入されてしまう可能性が有る。第１後端面ＢＳ１と第２後端面ＢＳ２とを設けることにより、こうした位置ずれを抑制し、保持具２０と収容部２２との位置精度を高めることができる。
【００９１】
また、保持具２０を収容部２２に保持させるのに必要となる長さ（圧入に必要な長さ）よりも第１後端面ＢＳ１の部分の長さを長くすることにより、保護部材１６をより長く接着固定することができる。これにより、光ファイバ１４の先端部分の変形や位置ずれをより抑制することができる。
【００９２】
また、光レセプタクル１０では、保持具２０の後端面と内周面との間に面取り部２０ｃを設けることにより、光ファイバ１４を保持具２０に挿入し易くし、製造性を向上させることができる。また、第１後端面ＢＳ１に接着剤を塗布した際に、面取り部２０ｃを接着剤溜まりとして用いることができ、接着剤が第２後端面ＢＳ２（位置決め面）に流れ込んでしまうことをより抑制することができる。
【００９３】
また、光レセプタクル１０では、弾性部材２４が突出部２４ｐを有する。これにより、外力によって荷重が加わった際に、保持具２０の後端２０ｂと保護部材１６の外側面とのコーナー部分において光ファイバ１４が局所的に折れ曲がってしまうことを抑制することができる。例えば、光ファイバ１４の曲げ基点を第１領域Ｒ１と第２領域Ｒ２との境界部分から遠ざけることができる。
【００９４】
また、光レセプタクル１０では、収容部２２が、圧入によって保持具２０を保持する。これにより、保持力を向上させ、簡単な構成で保持具２０を適切に保持することができる。
【００９５】
また、光レセプタクル１０では、保持具２０の第２当接部ＣＰ２の中間点ｍ２が、フェルール１２の第１当接部ＣＰ１の中間点ｍ１よりも後方に位置する。これにより、例えば、保持具２０を収容部２２に圧入させた場合などにおいても、圧入よる締め付け力を第２当接部ＣＰ２によって広域に分散させ、第１領域Ｒ１と第２領域Ｒ２との境界部分において、光ファイバ１４に外力が集中してしまうことをより抑制することができる。
【００９６】
図２（ａ）〜図２（ｃ）は、第１の実施形態にかかるフェルールの具体例を表す断面図である。  
図２（ａ）に表したように、この例では、第２領域Ｒ２における貫通孔１２ｔの径（直交方向の幅）の変化が、直線状である。貫通孔１２ｔの中心軸と平行な断面（図２に表す断面）において、貫通孔１２ｔの第２領域Ｒ２の内周面は、直線状である。このように、第２領域Ｒ２における径の変化は、例えば、直線状である。第２領域Ｒ２における貫通孔１２ｔの径の広がり角θは、例えば、６０°以上９０°以下である。例えば、広がり角θを６０°とし、第１領域Ｒ１における貫通孔１２ｔの直径を０．８ｍｍとした場合、第２領域Ｒ２の軸方向の長さは、約０．６ｍｍである。
【００９７】
この場合、圧入などにともなってフェルール１２の内径が収縮した際に、貫通孔１２ｔに挿入された光ファイバ１４のうち、第１領域Ｒ１の部分には応力が加わるが、第２領域Ｒ２の部分には収縮にともなう応力が実質的に加わらない。このため、第１領域Ｒ１と第２領域Ｒ２との境界部分において、光ファイバ１４に加わる応力の差が大きくなる。
【００９８】
従って、図２（ａ）に表したフェルール１２を用いる場合には、上記のように、保持具２０が、フェルール１２の外側面１２ｇのうち、第１領域Ｒ１よりも後方の部分を保持するようにする。これにより、第１領域Ｒ１の部分における径の収縮を抑制し、第１領域Ｒ１と第２領域Ｒ２との境界部分に生じる応力差を緩和することができる。第１領域Ｒ１と第２領域Ｒ２との境界部分において、光ファイバ１４に外力が集中してしまうことを抑制することができる。
【００９９】
図２（ｂ）に表したように、この例では、第２領域Ｒ２における貫通孔１２ｔの径の変化が、貫通孔１２ｔの中心軸側に向かって凸の凸曲線状である。貫通孔１２ｔの中心軸と平行な断面において、貫通孔１２ｔの第２領域Ｒ２の内周面は、凸曲線状である。貫通孔１２ｔの第２領域Ｒ２の内周面は、例えば、貫通孔１２ｔの第１領域Ｒ１の内周面とフェルール１２の後端面とをなだらかに接続する。このように、第２領域Ｒ２における径の変化は、例えば、凸曲線状でもよい。
【０１００】
この場合、フェルール１２の内径の収縮にともなって光ファイバ１４に加わる応力が、第２領域Ｒ２の内周面の曲面に応じて緩やかに変化する。すなわち、第１領域Ｒ１と第２領域Ｒ２との境界部分において光ファイバ１４に加わる応力が急激に変化することを抑制し、第１領域Ｒ１と第２領域Ｒ２との境界部分における応力差を緩和することができる。従って、第１領域Ｒ１と第２領域Ｒ２との境界部分において、光ファイバ１４に外力が集中してしまうことをより抑制することができる。
【０１０１】
図２（ｃ）に表したように、この例では、フェルール１２の貫通孔１２ｔが、第２領域Ｒ２よりも後方に配置された第３領域Ｒ３をさらに有する。第３領域Ｒ３は、第２領域Ｒ２に連続する。また、この例においては、第３領域Ｒ３が、フェルール１２の後端１２ｂと連続している。
【０１０２】
第２領域Ｒ２における貫通孔１２ｔの径の変化は、図２（ｂ）の例と同様に、貫通孔１２ｔの中心軸側に向かって凸の凸曲線状である。一方、第３領域Ｒ３における貫通孔１２ｔの径の変化は、直線状である。第３領域Ｒ３においては、貫通孔１２ｔの径が、後端１２ｂ側に向かって直線状に連続的に増加する。この例おいて、第２領域Ｒ２の形状は、換言すれば、直線状の第１領域Ｒ１と第３領域Ｒ３との交点部分を丸めた形状である。
【０１０３】
このように、貫通孔１２ｔにおいては、凸曲線状に径が変化する第２領域Ｒ２の後方に、直線状に径が変化する第３領域Ｒ３をさらに設けてもよい。この場合にも、図２（ｂ）の例と同様に、第１領域Ｒ１と第２領域Ｒ２との境界部分において光ファイバ１４に加わる応力が急激に変化することを抑制し、第１領域Ｒ１と第２領域Ｒ２との境界部分における応力差を緩和することができる。第１領域Ｒ１と第２領域Ｒ２との境界部分において、光ファイバ１４に外力が集中してしまうことをより抑制することができる。凸曲線状に径が変化する領域は、少なくとも第１領域Ｒ１の直後に設けられていればよい。
【０１０４】
また、第３領域Ｒ３を設けた場合には、保護部材１６の先端１６ａが、貫通孔１２ｔの第３領域Ｒ３内に位置してもよい。この場合にも、先端１６ａが第２領域Ｒ２に位置する場合と同様に、光ファイバ１４の保護部材１６から突き出た部分の長さを極力短くすることができる。光ファイバ１４の撓みを抑制し、光ファイバ１４をフェルール１２の貫通孔１２ｔに挿入し易くすることができる。光レセプタクル１０の製造性を向上させることができる。
【０１０５】
なお、フェルール１２にセラミックスを用いる場合、図２（ａ）〜図２（ｃ）に表した各例の貫通孔１２ｔの形状は、例えば、焼成前のブロック状のセラミックスに、貫通孔１２ｔの形状に対応したピン状の型を挿し込むことによって形成することができる。
【０１０６】
図３は、第１の実施形態にかかるピグテール型光レセプタクルの変形例を表す断面図である。  
図３に表したように、光レセプタクル１０ａでは、保持具２０が、フェルール１２の外側面１２ｇのうち、第１領域Ｒ１よりも後方の部分を保持するとともに、第１領域Ｒ１と対向する部分をさらに保持している。なお、上記実施形態と機能・構成上実質的に同じものについては、同符号を付し、詳細な説明を省略する。
【０１０７】
例えば、図２（ｂ）及び図２（ｃ）に表したように、第２領域Ｒ２における貫通孔１２ｔの径の変化を凸曲線状とした場合には、貫通孔１２ｔの形状のみでも、第１領域Ｒ１と第２領域Ｒ２との境界部分における応力差を適切に緩和させることができる。従って、この場合には、保持具２０が、第１領域Ｒ１と対向する部分をさらに保持してもよい。光レセプタクル１０ａにおいても、信頼性の低下を招くことなく小型化を可能とすることができる。
【０１０８】
但し、凸曲線状に貫通孔１２ｔの径が変化するフェルール１２を用い、かつフェルール１２の第１領域Ｒ１よりも後方の部分のみを保持具２０に保持させる。これにより、第１領域Ｒ１と第２領域Ｒ２との境界部分における応力差をより適切に緩和させることができる。第１領域Ｒ１と第２領域Ｒ２との境界部分において、光ファイバ１４に外力が集中してしまうことをより抑制することができる。
【０１０９】
図４は、第１の実施形態にかかるピグテール型光レセプタクルの変形例を表す断面図である。  
図４に表したように、光レセプタクル１０ｂでは、収容部２２の後端２２ｂが、保持具２０の後端２０ｂ及び弾性部材２４の突出部２４ｐよりも後方に位置する。すなわち、光レセプタクル１０ｂにおいては、収容部２２が、保持具２０を軸周りにさらに覆うとともに、弾性部材２４の突出部２４ｐを軸周りにさらに覆う。
【０１１０】
光レセプタクル１０ｂでは、例えば、弾性部材２４の突出部２４ｐを収容部２２で保護することができる。突出部２４ｐに外力が加わることを抑制することができる。光ファイバ１４の第１領域Ｒ１と第２領域Ｒ２との境界部分に外力が集中することをより抑制することができる。光ファイバ１４を外力などからより適切に保護することができる。
【０１１１】
（第２の実施形態）  
図５は、第２の実施形態にかかるピグテール型光レセプタクルを表す断面図である。  
図５に表したように、光レセプタクル１００では、保持具１２０の外側面１２０ｇが、第１外周部ＯＳ１と、第２外周部ＯＳ２と、を有する。
【０１１２】
第１外周部ＯＳ１は、収容部２２に保持される。保持具１２０の第１外周部ＯＳ１の外径は、収容部２２の内径と実質的に同じである。保持具１２０は、例えば、第１外周部ＯＳ１の部分を収容部２２内に圧入することにより、収容部２２に保持される。
【０１１３】
第２外周部ＯＳ２は、保持具１２０の先端部に設けられる。第２外周部ＯＳ２は、例えば、第１外周部ＯＳ１の前方に設けられ、第１外周部ＯＳ１と連続するとともに、保持具１２０の先端１２０ａと連続する。また、第２外周部ＯＳ２は、第１外周部ＯＳ１よりも内側に凹んでいる。保持具１２０の第２外周部ＯＳ２の外径は、第１外周部ＯＳ１の外径よりも小さい。第１外周部ＯＳ１は、第１領域Ｒ１よりも後方に位置する。従って、収容部２２は、第１領域Ｒ１よりも後方側において保持具１２０の外側面１２０ｇに嵌る。
【０１１４】
このように、光レセプタクル１００では、保持具１２０の先端部の外径を小さくすることにより、保持具１２０が収容部２２に保持される部分を後方にずらすことができる。これにより、第１領域Ｒ１と第２領域Ｒ２との境界部分において、光ファイバ１４に外力が集中してしまうことをより抑制することができる。
【０１１５】
また、光レセプタクル１００では、保持具１２０が、フェルール１２の第１領域Ｒ１よりも後方の部分のみを保持する。これにより、第１領域Ｒ１と第２領域Ｒ２との境界部分において、光ファイバ１４に外力が集中してしまうことをさらに抑制することができる。
【０１１６】
さらに、光レセプタクル１００では、保持具１２０が、第２外周部ＯＳ２の部分のみでフェルール１２を保持する。すなわち、フェルール１２の周囲は、収容部２２に圧入されていない。これにより、例えば、保持具１２０の収容部２２内への圧入にともなう締め付け力が、保持具１２０を介して光ファイバ１４の第１領域Ｒ１と第２領域Ｒ２との境界部分に伝達されてしまうことを抑制することができる。従って、第１領域Ｒ１と第２領域Ｒ２との境界部分において、光ファイバ１４に外力が集中してしまうことをさらに抑制することができる。
【０１１７】
図６は、第２の実施形態にかかるピグテール型光レセプタクルの変形例を表す断面図である。  
図６に表したように、光レセプタクル１００ａでは、保持具１２０が、フェルール１２の外側面１２ｇのうち、第１領域Ｒ１よりも後方の部分を保持するとともに、第１領域Ｒ１と対向する部分をさらに保持している。そして、光レセプタクル１００ａでは、保持具１２０の第１外周部ＯＳ１が、第１領域Ｒ１よりも後方に位置する。
【０１１８】
このように、保持具１２０に第１外周部ＯＳ１と第２外周部ＯＳ２とを設ける場合には、少なくとも第１外周部ＯＳ１が、第１領域Ｒ１よりも後方に位置していればよく、保持具１２０は、フェルール１２の第１領域Ｒ１と対向する部分をさらに保持してもよい。
【０１１９】
すなわち、少なくとも第１領域Ｒ１と第２領域Ｒ２との境界部分の周囲が、収容部２２に圧入されていなければよい。この場合にも、保持具１２０の収容部２２内への圧入にともなう締め付け力が、保持具１２０を介して光ファイバ１４の第１領域Ｒ１と第２領域Ｒ２との境界部分に伝達されてしまうことを抑制することができる。
【０１２０】
但し、図５に表したように、保持具１２０に第１外周部ＯＳ１と第２外周部ＯＳ２とを設け、かつフェルール１２の第１領域Ｒ１よりも後方の部分のみを保持具１２０に保持させる。これにより、圧入にともなう締め付け力が光ファイバ１４に伝達されてしまうことをより抑制することができる。第１領域Ｒ１と第２領域Ｒ２との境界部分において、光ファイバ１４に外力が集中してしまうことを、より適切に抑制することができる。
【０１２１】
図７は、第２の実施形態にかかるピグテール型光レセプタクルの変形例を表す断面図である。  
図７に表したように、光レセプタクル１００ｂでは、収容部１２２の内側面１２２ｎが、第１内周部１２２ａと、第２内周部１２２ｂと、を有する。第１内周部１２２ａは、保持具２０の外周面２０ｇに嵌る。第１内周部１２２ａの内径は、保持具２０の外径と実質的に同じである。収容部１２２は、例えば、第１内周部１２２ａを保持具２０に圧入することにより、保持具２０に取り付けられる。第１内周部１２２ａは、例えば、収容部１２２の内側面１２２ｎの全周に環状に形成される。例えば、複数の第１内周部１２２ａを収容部１２２の内周に沿って離散的に並べて設けてもよい。
【０１２２】
第２内周部１２２ｂは、第１内周部１２２ａよりも先端側に設けられる。第２内周部１２２ｂは、第１内周部１２２ａよりも外側に広がっている。第２内周部１２２ｂの内径は、第１内周部１２２ａの内径よりも大きい。
【０１２３】
第１内周部１２２ａは、第１領域Ｒ１よりも後方に位置する。従って、収容部１２２は、第１領域Ｒ１よりも後方側において保持具２０の外側面２０ｇに嵌る。
【０１２４】
このように、光レセプタクル１００ｂでは、収容部１２２の第２内周部１２２ｂの内径を大きくすることにより、保持具２０が収容部１２２に保持される第１内周部１２２ａを後方にずらすことができる。これにより、図５に関して説明した光レセプタクル１００などと同様に、第１領域Ｒ１と第２領域Ｒ２との境界部分において、光ファイバ１４に外力が集中してしまうことを抑制することができる。
【０１２５】
図７では、保持具２０が、第１領域Ｒ１と第２領域Ｒ２とを保持している。保持具２０は、収容部１２２を用いる場合においても、フェルール１２の第１領域Ｒ１よりも後方の部分のみを保持してもよい。これにより、圧入にともなう締め付け力が光ファイバ１４に伝達されてしまうことをより抑制することができる。
【０１２６】
図８（ａ）及び図８（ｂ）は、第２の実施形態にかかるピグテール型光レセプタクルの変形例を表す断面図である。  
図８（ａ）に表したように、光レセプタクル１００ｃの収容部１２２では、第２内周部１２２ｂが、傾斜面１２２ｃを介して第１内周部１２２ａと接続されている。また、図８（ｂ）に表したように、光レセプタクル１００ｄの収容部１２２では、第２内周部１２２ｂが、曲面１２２ｄを介して第１内周部１２２ａと接続されている。曲面１２２ｄは、例えば、第２内周部１２２ｂに滑らかに連続する凹曲面状である。
【０１２７】
このように、第１内周部１２２ａと第２内周部１２２ｂとは、傾斜面１２２ｃ又は曲面１２２ｄによって滑らかに接続することが好ましい。これにより、第１内周部１２２ａと第２内周部１２２ｂとを収容部１２２の内側面１２２ｎに設けた場合にも、収容部１２２を形成し易くすることができる。例えば、収容部１２２の製造性を向上させ、光レセプタクル１００ｃ、１００ｄの製造コストを抑えることができる。
【０１２８】
（第３の実施形態）  
図９は、第３の実施形態にかかるピグテール型光レセプタクルを表す断面図である。  
図９に表したように、光レセプタクル２００では、収容部２２２が、保持具２２０の先端側に取り付けられる。
【０１２９】
保持具２２０は、収容部２２２を取り付けるための取付部２２０ａを有する。取付部２２０ａは、保持具２２０の先端部に設けられる。収容部２２２は、収容部２２２の取付部２２０ａに取り付けられる被取付部２２２ａを有する。被取付部２２２ａは、収容部２２２の後端部に設けられる。取付部２２０ａ及び被取付部２２２ａは、筒状である。被取付部２２２ａは、取付部２２０ａの外側に嵌る。これにより、収容部２２２が、保持具２２０の先端側に取り付けられる。
【０１３０】
保持具２２０は、フランジ部２２０ｆを有する。フランジ部２２０ｆは、第２領域Ｒ２よりも先端側に設けられる。フランジ部２２０ｆの先端は、第２領域Ｒ２の先端よりも前方に位置する。また、フランジ部２２０ｆは、取付部２２０ａに取り付けられた収容部２２２よりも外側に突出する。フランジ部２２０ｆは、例えば、光レセプタクル２００の位置決めに用いられる。
【０１３１】
取付部２２０ａは、フランジ部２２０ｆよりも先端側に設けられる。従って、収容部２２２は、フランジ部２２０ｆよりも先端側において保持具２２０に取り付けられる。
【０１３２】
光レセプタクル２００においては、収容部２２２よりも外側に突出するフランジ部２２０ｆを有し、収容部２２２は、フランジ部２２０ｆよりも先端側において保持具２２０に取り付けられる。これにより、例えば、収容部２２２の取り付けに起因する外力が、光ファイバ１４を保持する第１領域Ｒ１と、光ファイバ１４を保持しない第２領域Ｒ２と、の境界部分において、光ファイバ１４に集中してしまうことを抑制しつつ、収容部２２２が、フランジ部２２０ｆよりも後端側において保持具２２０に取り付けられた場合に比べて、フェルール１２、保持具２２０、収容部２２２の長さを短くすることができる。従って、信頼性の低下を招くことなく小型化を可能としたピグテール型光レセプタクル２００を提供することができる。
【０１３３】
図９では、保持具２２０が、第１領域Ｒ１と第２領域Ｒ２とを保持している。保持具２２０は、収容部２２２を取り付ける構成においても、フェルール１２の第１領域Ｒ１よりも後方の部分のみを保持してもよい。これにより、圧入にともなう締め付け力が光ファイバ１４に伝達されてしまうことをより抑制することができる。
【０１３４】
図１０（ａ）及び図１０（ｂ）は、第３の実施形態にかかるピグテール型光レセプタクルの変形例を表す断面図である。  
図１０（ａ）に表したように、光レセプタクル２００ａでは、被取付部２２２ａが、取付部２２０ａの内側に嵌ることにより、収容部２２２が、保持具２２０の先端側に取り付けられる。このように、被取付部２２２ａは、取付部２２０ａの外側に嵌ってもよいし、内側に嵌ってもよい。取付部２２０ａ及び被取付部２２２ａの構成は、上記に限ることなく、収容部２２２を保持具２２０の先端側に取り付け可能な任意の構成でよい。
【０１３５】
図１０（ｂ）に表したように、光レセプタクル２００ｂでは、取付部２２０ａが、図９に示した光レセプタクル２００の取付部２２０ａと比べて、より先端側に延びている。このように、取付部２２０ａの位置（収容部２２２の取付位置）は、フランジ部２２０ｆよりも先端側の任意の位置でよい。
【０１３６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、光レセプタクル１０、１０ａ、１０ｂ、１００、１００ａなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３７】
１０、１０ａ、１０ｂ、１００、１００ａ〜１００ｄ、２００、２００ａ、２００ｂ ピグテール型光レセプタクル、  １２ フェルール、  １２ｔ 貫通孔、  １４ 光ファイバ、  １６ 保護部材、  １８ スリーブ、  ２０、１２０、２２０ 保持具、  ２０ｃ 面取り部、  ２２、１２２、２２２ 収容部、  ２４ 弾性部材、  ２４ｐ 突出部、  ＢＳ１ 第１後端面、  ＢＳ２ 第２後端面、  ＣＰ１ 第１当接部、  ＣＰ２ 第２当接部、  ＩＳ１ 第１内周部、  ＩＳ２ 第２内周部、  ＯＳ１ 第１外周部、  ＯＳ２ 第２外周部、  Ｒ１ 第１領域、  Ｒ２ 第２領域、  ＳＰ 隙間
【図１】
2017211633.tif 000003
【図２】
2017211633.tif 000004
【図３】
2017211633.tif 000005
【図４】
2017211633.tif 000006
【図５】
2017211633.tif 000007
【図６】
2017211633.tif 000008
【図７】
2017211633.tif 000009
【図８】
2017211633.tif 000010
【図９】
2017211633.tif 000011
【図１０】
2017211633.tif 000012
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具の外側面に嵌り、前記スリーブの少なくとも一部及び前記フェルールの全体を軸周りに覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記保持具は、前記フェルールの外側面のうち、前記第１領域よりも後方の前記第２領域の少なくとも一部分のみを保持することを特徴とするピグテール型光レセプタクル。
【請求項２】
前記第２領域における前記貫通孔の前記直交方向の幅の変化は、凸曲線状であることを特徴とする請求項１記載のピグテール型光レセプタクル。
【請求項３】
前記フェルールの前記貫通孔は、前記第２領域よりも後方に配置された第３領域をさらに有し、
前記第３領域における前記貫通孔の前記直交方向の幅の変化は、直線状であることを特徴とする請求項２記載のピグテール型光レセプタクル。
【請求項４】
前記保護部材の先端は、前記貫通孔の前記第２領域内に位置することを特徴とする請求項１〜３のいずれか１つに記載のピグテール型光レセプタクル。
【請求項５】
前記保護部材の先端は、前記貫通孔の前記第３領域内に位置することを特徴とする請求項３記載のピグテール型光レセプタクル。
【請求項６】
前記保持具は、圧入によって前記フェルールの後端側を保持することを特徴とする請求項１〜５のいずれか１つに記載のピグテール型光レセプタクル。
【請求項７】
前記保持具の後端は、前記フェルールの後端よりも後方に位置し、
前記保持具は、前記光ファイバの一部及び前記保護部材の一部を取り囲み、
前記光ファイバ及び前記保護部材は、前記保持具の外方にさらに延在するとともに、前記貫通孔内及び前記保持具内に充填された弾性部材によって前記保持具に接着固定されることを特徴とする請求項１〜６のいずれか１つに記載のピグテール型光レセプタクル。
【請求項８】
前記保持具の内周面は、
前記フェルールの外側面に嵌る第１内周部と、
前記第１内周部の後方に位置し、前記第１内周部よりも内側に突出し、前記光ファイバの一部及び前記保護部材の一部を取り囲む第２内周部と、
を有し、
前記フェルールの後端と前記第２内周部との間には、前記軸方向において隙間が設けられ、
前記弾性部材は、前記隙間にも充填されていることを特徴とする請求項７記載のピグテール型光レセプタクル。
【請求項９】
前記保持具は、第１後端面と、前記第１後端面よりも外周側において前記第１後端面よりも先端側に凹んだ第２後端面と、を有することを特徴とする請求項１〜８のいずれか１つに記載のピグテール型光レセプタクル。
【請求項１０】
前記保持具の外側面は、
前記収容部に保持される第１外周部と、
前記保持具の先端部に設けられ、前記第１外周部よりも内側に凹んだ第２外周部と、
を有することを特徴とする請求項１〜９のいずれか１つに記載のピグテール型光レセプタクル。
【請求項１１】
前記保持具は、後端面と内周面との間に面取り部を有することを特徴とする請求項１〜１０のいずれか１つに記載のピグテール型光レセプタクル。
【請求項１２】
前記弾性部材は、前記保持具の後端側において前記保持具の外方に突出し、前記保持具の後端と前記保護部材の外側面とのコーナー部分を覆う突出部を有することを特徴とする請求項７記載のピグテール型光レセプタクル。
【請求項１３】
前記収容部は、圧入によって前記保持具を保持することを特徴とする請求項１〜１２のいずれか１つに記載のピグテール型光レセプタクル。
【請求項１４】
前記フェルールの外側面は、前記保持具の内周面に当接する第１当接部を有し、
前記保持具の外側面は、前記収容部の内周面に当接する第２当接部を有し、
前記第２当接部の前記軸方向の中間点は、前記第１当接部の前記軸方向の中間点よりも後方に位置することを特徴とする請求項１〜１３のいずれか１つに記載のピグテール型光レセプタクル。
【請求項１５】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具の外側面に圧入されて嵌り、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記収容部は、前記第１領域よりも後方側において前記保持具の外側面に圧入されて嵌ることを特徴とするピグテール型光レセプタクル。
【請求項１６】
前記保持具の外側面は、
前記収容部に保持される第１外周部と、
前記保持具の先端部に設けられ、前記第１外周部よりも内側に凹んだ第２外周部と、
を有し、
前記第１外周部は、前記第１領域よりも後方に位置することを特徴とする請求項１５記載のピグテール型光レセプタクル。
【請求項１７】
前記収容部の内側面は、
前記保持具の外側面に嵌る第１内周部と、
前記第１内周部よりも先端側に設けられ、前記第１内周部よりも外側に広がった第２内周部と、
を有し、
前記第１内周部は、前記第１領域よりも後方に位置することを特徴とする請求項１５記載のピグテール型光レセプタクル。
【請求項１８】
前記第２内周部は、傾斜面又は曲面を介して前記第１内周部と接続されていることを特徴とする請求項１７記載のピグテール型光レセプタクル。
【請求項１９】
軸方向に延びる貫通孔を有する筒状のフェルールと、
前記貫通孔に挿入された状態で前記フェルールに保持されるとともに、前記フェルールの後端側から前記フェルールの外方に延在する光ファイバと、
前記光ファイバの前記フェルールの外方に延在した部分を被覆する保護部材と、
前記フェルールの外側面に嵌り、前記フェルールの先端側に取り付けられた筒状のスリーブと、
前記フェルールの外側面に嵌り、前記フェルールの後端側を保持する筒状の保持具と、
前記保持具に圧入されて取り付けられ、前記スリーブの少なくとも一部及び前記フェルールを覆う筒状の収容部と、
を備え、
前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、
前記保持具は、前記第２領域よりも先端側に設けられ、前記収容部よりも外側に突出するフランジ部を有し、
前記収容部は、前記フランジ部よりも先端側において前記保持具に圧入されて取り付けられることを特徴とするピグテール型光レセプタクル。
【手続補正２】
【補正対象書類名】明細書
【補正対象項目名】００１０
【補正方法】変更
【補正の内容】
【００１０】
第１の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具の外側面に嵌り、前記スリーブの少なくとも一部及び前記フェルールの全体を軸周りに覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記保持具は、前記フェルールの外側面のうち、前記第１領域よりも後方の前記第２領域の少なくとも一部分のみを保持することを特徴とするピグテール型光レセプタクルである。
【手続補正３】
【補正対象書類名】明細書
【補正対象項目名】００３８
【補正方法】削除
【補正の内容】
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】変更
【補正の内容】
【００４０】
第１５の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具の外側面に圧入されて嵌り、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記収容部は、前記第１領域よりも後方側において前記保持具の外側面に圧入されて嵌ることを特徴とするピグテール型光レセプタクルである。
【手続補正６】
【補正対象書類名】明細書
【補正対象項目名】００４２
【補正方法】変更
【補正の内容】
【００４２】
第１６の発明は、第１５の発明において、前記保持具の外側面は、前記収容部に保持される第１外周部と、前記保持具の先端部に設けられ、前記第１外周部よりも内側に凹んだ第２外周部と、を有し、前記第１外周部は、前記第１領域よりも後方に位置することを特徴とするピグテール型光レセプタクルである。
【手続補正７】
【補正対象書類名】明細書
【補正対象項目名】００４４
【補正方法】変更
【補正の内容】
【００４４】
第１７の発明は、第１５の発明において、前記収容部の内側面は、前記保持具の外側面に嵌る第１内周部と、前記第１内周部よりも先端側に設けられ、前記第１内周部よりも外側に広がった第２内周部と、を有し、前記第１内周部は、前記第１領域よりも後方に位置することを特徴とするピグテール型光レセプタクルである。
【手続補正８】
【補正対象書類名】明細書
【補正対象項目名】００４６
【補正方法】変更
【補正の内容】
【００４６】
第１８の発明は、第１７の発明において、前記第２内周部は、傾斜面又は曲面を介して前記第１内周部と接続されていることを特徴とするピグテール型光レセプタクルである。
【手続補正９】
【補正対象書類名】明細書
【補正対象項目名】００４８
【補正方法】変更
【補正の内容】
【００４８】
第１９の発明は、軸方向に延びる貫通孔を有する筒状のフェルールと、前記貫通孔に挿入された状態で前記フェルールに保持されるとともに、前記フェルールの後端側から前記フェルールの外方に延在する光ファイバと、前記光ファイバの前記フェルールの外方に延在した部分を被覆する保護部材と、前記フェルールの外側面に嵌り、前記フェルールの先端側に取り付けられた筒状のスリーブと、前記フェルールの外側面に嵌り、前記フェルールの後端側を保持する筒状の保持具と、前記保持具に圧入されて取り付けられ、前記スリーブの少なくとも一部及び前記フェルールを覆う筒状の収容部と、を備え、前記フェルールの前記貫通孔は、前記軸方向に対して直交する直交方向における幅が前記光ファイバの前記直交方向の幅に対応する第１領域と、前記第１領域の後方に配置され、前記フェルールの後端側に向かって前記直交方向の幅が広がる第２領域と、を有し、前記保持具は、前記第２領域よりも先端側に設けられ、前記収容部よりも外側に突出するフランジ部を有し、前記収容部は、前記フランジ部よりも先端側において前記保持具に圧入されて取り付けられることを特徴とするピグテール型光レセプタクルである。